(57)【特許請求の範囲】
【請求項１】
ハードディスクを固定するための固定構造であって、
前記固定構造は、
前記ハードディスクを載置するためのサポートユニットを含み、前記ハードディスクを予め設定される摺動方向に沿って摺動させるようにガイドすることに用いられるガイド部材が設けられている支持部材と、
前記支持部材上に設けられるロックアセンブリと、を備え、
前記ロックアセンブリは、
前記支持部材上に可動に設けられ、かつ前記ガイド部材の延びる方向と交差する第一方向に沿って移動することにより、前記ハードディスクと互いに係合又は互いに離隔可能である係止部材と、
前記係止部材上に可動に接続され、かつ第二方向に沿って移動可能である押圧部材と、を含み、
前記係止部材は、係止部と、前記係止部に接続される合わせ部とを含み、
前記押圧部材は、前記合わせ部を可動に貫通するガイド部を含み、
前記押圧部材は外力により、前記第二方向に沿って移動して、前記ガイド部が前記第二方向に沿って移動することで、前記係止部を前記第一方向に沿って移動させるように前記合わせ部を駆動することにより、前記係止部を前記ハードディスクと互いに係合又は互いに離隔させる
ことを特徴とする固定構造。
【請求項２】
前記第一方向は前記予め設定される摺動方向に垂直であり、前記第二方向は前記予め設定される摺動方向に平行となる
ことを特徴とする請求項１に記載の固定構造。
【請求項３】
前記支持部材は基板であり、前記ガイド部材は前記基板上に設けられるガイド板である
ことを特徴とする請求項１又は２に記載の固定構造。
【請求項４】
前記ガイド部材の数は２つであり、かつ対向して間隔をおいて前記基板上に設けられることにより、前記ハードディスクを挟持するための挟持空間が形成され、前記係止部材は前記ガイド板の一端に設けられる
ことを特徴とする請求項３に記載の固定構造。
【請求項５】
前記固定構造は、前記支持部材上に固定される第一固定部材をさらに含み、前記第一固定部材上において前記第一方向に沿って貫通孔が貫通して開設されており、前記係止部材は、前記第一固定部材内に設けられ、かつ一部が前記貫通孔を貫通し、前記係止部材は前記押圧部材による駆動により、前記貫通孔に沿って移動可能である
ことを特徴とする請求項１乃至４のいずれか１項に記載の固定構造。
【請求項６】
前記係止部は前記貫通孔を貫通して、前記係止部を前記ハードディスクと互いに係止又は互いに離隔させる
ことを特徴とする請求項５に記載の固定構造。
【請求項７】
前記ガイド部上には、前記第二方向に対して傾いているガイド面が形成され、前記合わせ部上に溝が形成され、前記ガイド部は、前記溝を貫通し、前記ガイド面を前記溝の側壁と互いに当接させる
ことを特徴とする請求項６に記載の固定構造。
【請求項８】
前記ロックアセンブリは、前記係止部材と前記第一固定部材との間に設けられ、前記係止部材の移動に回復力を提供する第一リセット部材をさらに含み、
前記第一固定部材上に収容キャビティが開設されており、かつ前記収容キャビティ上にストッパーが設けられており、前記貫通孔は前記収容キャビティの側壁上に開設され、前記係止部材は前記収容キャビティ内に収容され、前記ロックアセンブリは、前記係止部材と前記ストッパーとの間に設けられ、前記係止部材の移動に回復力を提供する第一リセット部材をさらに含む
ことを特徴とする請求項７に記載の固定構造。
【請求項９】
前記第一リセット部材は、圧縮弾性部材である
ことを特徴とする請求項８に記載の固定構造。
【請求項１０】
前記溝の側壁には、前記第二方向に対して傾いており、かつ前記ガイド面と相互に当接する合わせ面が設けられおり、前記押圧部材が外力による駆動により、前記第二方向に沿って移動する場合、前記ガイド面は、前記合わせ部を前記第一方向に沿って移動させるように前記合わせ面を駆動する
ことを特徴とする請求項８に記載の固定構造。
【請求項１１】
前記ガイド部の前記ガイド面から離れる一側に駆動面が形成され、前記駆動面の傾斜方向と、前記ガイド面の傾斜方向とが一致しており、前記溝は、前記合わせ面に対向するスレーブ面をさらに含み、前記スレーブ面は前記第二方向に対して傾いており、かつ前記駆動面と相互に当接し、前記押圧部材は外力による駆動により、前記第二方向に沿って移動する場合、前記駆動面は、前記合わせ部を前記第一方向に沿って移動させるように前記スレーブ面を駆動する
ことを特徴とする請求項１０に記載の固定構造。
【請求項１２】
前記押圧部材は、それぞれ前記ガイド部の両端に設けられる押圧部及び位置制限部をさらに含み、前記位置制限部は、前記ガイド面が突出することにより形成され、かつ前記第一方向に沿って延び、前記位置制限部は、前記合わせ部と当接保持することにより、前記ガイド部が前記溝から前記第二方向に沿って脱出されることが防止されることに用いられる
ことを特徴とする請求項８に記載の固定構造。
【請求項１３】
前記押圧部の前記ガイド部から離れる一側に面取りが形成され、前記面取りは前記係止部材に対する前記押圧部材の装着位置を示すためのものである
ことを特徴とする請求項１２に記載の固定構造。
【請求項１４】
前記ロックアセンブリは、前記押圧部材の移動に回復力を提供するための第二リセット部材をさらに含む
ことを特徴とする請求項１２に記載の固定構造。
【請求項１５】
前記第二リセット部材は、前記押圧部と前記合わせ部との間に設けられる圧縮弾性部材である
ことを特徴とする請求項１４に記載の固定構造。
【請求項１６】
前記固定構造は、前記ロックアセンブリに隣接して前記支持部材上に設けられる押えアセンブリをさらに含み、前記押えアセンブリは、前記支持部材上に固定される装着部材と、前記装着部材上に設けられる押え部材とを含み、前記押え部材は、前記ハードディスクに弾性的に当接保持されることにより、前記ハードディスクの第三方向での変位を制限する
ことを特徴とする請求項１乃至１５のいずれか１項に記載の固定構造。
【請求項１７】
前記第三方向は、同時に、前記第一方向及び前記第二方向に垂直する
ことを特徴とする請求項１６に記載の固定構造。
【請求項１８】
前記押え部材は、弾性材で製造される弾性体であり、前記装着部材上に固定されると共に、前記支持部材と間隔をおいて設けられることにより、前記ハードディスクを前記押え部材と前記支持部材との間に弾性的に挟持させる
ことを特徴とする請求項１６に記載の固定構造。
【請求項１９】
前記押え部材は弾性シートであり、前記弾性シートは前記支持部材に向かって屈曲し突起することにより、前記支持部材上に支持される前記ハードディスクに弾性的に当接保持され、又は、前記押え部材は、前記支持部材に向かって設けられる弾性プランジャーである
ことを特徴とする請求項１６に記載の固定構造。
【請求項２０】
前記固定構造は、第二固定部材及び位置決めアセンブリをさらに含み、前記第二固定部材及び前記第一固定部材は、それぞれ前記ガイド部材の両端に設けられ、前記位置決めアセンブリは前記第二固定部材上に装着され、かつ前記ハードディスクに弾性的に係止保持される
ことを特徴とする請求項５に記載の固定構造。
【請求項２１】
前記位置決めアセンブリは弾性プランジャー構造であり、
前記位置決めアセンブリは、収容部材、弾性部材及び位置決め部材を含み、前記収容部材は前記第二固定部材上に設けられ、前記収容部材上に装着孔が開設されており、前記弾性部材及び前記位置決め部材は前記装着孔内に収容され、前記弾性部材の両端がそれぞれ前記装着孔の底壁及び前記位置決め部材上に当接保持されることにより、前記位置決め部材は部分的に前記装着孔に突出して、前記ハードディスクに突出する
ことを特徴とする請求項２０に記載の固定構造。
【請求項２２】
撮像装置を載置するための支持機構を含む雲台であって、
前記雲台は、前記支持機構上に接続される請求項１乃至２１のいずれか１項に記載の固定構造及び前記固定構造上に設けられるハードディスクをさらに含む
ことを特徴とする雲台。
【発明の詳細な説明】
【技術分野】
【０００１】
本発明は、固定構造に関し、特に、ハードディスクを固定するためのハードディスク固定構造及びこれを用いた雲台に関するものである。
【背景技術】
【０００２】
従来の雲台は、エスディーメモリーカード（Ｓｅｃｕｒｅ  Ｄｉｇｉｔａｌ  Ｍｅｍｏｒｙ  Ｃａｒｄ、ＳＤカード）を記憶装置として用い、ユーザの撮像した映像データを記憶するために用いられる。記憶装置の読取り速度及び容量に対するユーザのニーズが高まっていることに伴い、従来の雲台のＳＤカードの読取り速度及び容量はユーザのニーズを満足し難くなる。ソリッドステートハードディスク（Ｓｏｌｉｄ  Ｓｔａｔｅ  Ｄｒｉｖｅｓ、ＳＳＤディスク）は、高速な読み書き及び記憶を実現可能であり、かつより大きいな容量を有するので、雲台上にＳＳＤディスクを用いることは、ユーザの選択傾向である。しかし、ＳＳＤディスクは、体積が通常大きく、通常、ねじにより雲台上に装着される場合、外部ツールによってその着脱を行う必要があるので、従来のＳＳＤディスクの着脱は比較的に不便である。
【発明の概要】
【発明が解決しようとする課題】
【０００３】
これに鑑み、着脱が比較的に便利なハードディスク固定構造及びこれを用いた雲台を提供する必要がある。
【課題を解決するための手段】
【０００４】
ソリッドステートハードディスクを固定するための固定構造であって、前記固定構造は、前記ソリッドステートハードディスクを載置するためのサポートユニットを含む支持部材を含む。前記支持部材上には、前記ソリッドステートハードディスクを予め設定される摺動方向に沿って摺動させるようにガイドすることに用いられるガイド部材と、前記支持部材上に設けられるロックアセンブリとが設けられている。前記ロックアセンブリは、前記支持部材上に可動に設けられ、かつ前記ガイド部材の延びる方向と交差する第一方向に沿って移動することにより、前記ソリッドステートハードディスクと互いに係合又は互いに離隔可能である係止部材と、前記係止部材上に可動に接続され、かつ第二方向に沿って移動可能である押圧部材とを含む。そのうち、前記押圧部材は、外力による駆動により前記第二方向に沿って移動して、前記係止部材を前記第一方向に沿って移動させるように駆動することにより、前記係止部材を前記ソリッドステートハードディスクと互いに係合又は互いに離隔させる。
【０００５】
さらに、前記第一方向は前記予め設定される摺動方向に垂直し、前記第二方向は前記予め設定される摺動方向に平行する。
【０００６】
さらに、前記支持部材は基板であり、前記ガイド部材は前記基板上に設けられるガイド板である。
【０００７】
さらに、前記ガイド部材の数は２つであり、かつ対向して間隔をおいて前記基板上に設けられることにより、前記ソリッドステートハードディスクを挟持するための挟持空間が形成され、前記係止部材は前記ガイド板の一端に設けられる。
【０００８】
さらに、前記固定構造は、前記支持部材上に固定される第一固定部材をさらに含み、前記第一固定部材上に前記第一方向に沿って貫通孔が貫通して開設されており、前記係止部材は、前記第一固定部材内に設けられ、かつ一部が前記貫通孔を貫通し、前記係止部材は前記押圧部材による駆動により、前記貫通孔に沿って移動可能である。
【０００９】
さらに、前記係止部材は、係止部と、前記係止部上に接続される合わせ部とを含み、前記係止部は前記貫通孔を貫通し、前記押圧部材は前記合わせ部を可動に貫通するガイド部を含み、前記ガイド部は、前記係止部の移動を動かすように前記合わせ部を駆動することにより、前記係止部を前記ソリッドステートハードディスクと互いに係止又は互いに離隔させる。
【００１０】
さらに、前記ガイド部上には、前記第二方向に対して傾いているガイド面が形成され、前記合わせ部上に溝が形成され、前記ガイド部は、前記溝を貫通し、前記ガイド面を前記溝の側壁と当接させる。
【００１１】
さらに、前記ロックアセンブリは、前記係止部材と前記第一固定部材との間に設けられ、前記係止部材の移動に回復力を提供する第一リセット部材をさらに含む。
【００１２】
いくつかの実施例において、前記第一固定部材上に収容キャビティが開設されており、かつ前記収容キャビティ上にストッパーが設けられており、前記貫通孔は前記収容キャビティの側壁上に開設され、前記係止部材は前記収容キャビティ内に収容され、前記ロックアセンブリは、前記係止部材と前記ストッパーとの間に設けられ、前記係止部材の移動に回復力を提供する第一リセット部材をさらに含む。
【００１３】
さらに、前記第一リセット部材は圧縮弾性部材である。
【００１４】
さらに、前記溝の側壁には、前記第二方向に対して傾いており、かつ前記ガイド面と相互に当接する合わせ面が設けられ、前記押圧部材は外力による駆動により、前記第二方向に沿って移動する際に、前記ガイド面は、前記合わせ部を前記第一方向に沿って移動させるように前記合わせ面を駆動する。
【００１５】
さらに、前記ガイド部の前記ガイド面から離れた一側に駆動面が形成され、前記駆動面の傾斜方向と前記ガイド面の傾斜方向とが一致しており、前記溝は、前記合わせ面に対向するスレーブ面をさらに含み、前記スレーブ面は前記第二方向に対して傾いており、かつ前記駆動面と相互に当接し、前記押圧部材は外力による駆動により前記第二方向に沿って移動する際に、前記駆動面は、前記合わせ部を前記第一方向に沿って移動させるように前記スレーブ面を駆動する。
【００１６】
さらに、前記押圧部材は、それぞれ前記ガイド部の両端に設けられる押圧部及び位置制限部をさらに含み、前記位置制限部は、前記ガイド面が突出することにより形成され、かつ前記第一方向に沿って延び、前記位置制限部は、前記合わせ部と互いに当接保持することにより、前記ガイド部が前記溝から前記第二方向に沿って脱出されることが防止されるために用いられる。
【００１７】
さらに、前記押圧部の前記ガイド部から離れた一側に面取りが形成され、前記面取りは、前記係止部材に対する前記押圧部材の装着位置を示すためのものである。
【００１８】
さらに、前記ロックアセンブリは、前記押圧部材の移動に回復力を提供するための第二リセット部材をさらに含む。
【００１９】
さらに、前記第二リセット部材は前記押圧部と前記合わせ部との間に設けられる圧縮弾性部材である。
【００２０】
さらに、前記固定構造は、前記ロックアセンブリに隣接して前記支持部材上に設けられる押えアセンブリをさらに含み、前記押えアセンブリは、前記支持部材上に固定される装着部材と、前記装着部材上に設けられる押え部材とを含み、前記押え部材は、前記ソリッドステートハードディスクに弾性的に当接保持されることにより、前記ソリッドステートハードディスクの第三方向での変位を制限する。
【００２１】
さらに、前記第三方向は、同時に、前記第一方向及び前記第二方向に垂直する。
【００２２】
さらに、前記押え部材は、弾性材で製造される弾性体であり、前記装着部材上に固定されると共に、前記支持部材と間隔をおいて設けられることにより、前記ソリッドステートハードディスクを前記押え部材と前記支持部材との間に弾性的に挟持させる。
【００２３】
さらに、前記押え部材は弾性シートであり、前記弾性シートは前記支持部材に向かって屈曲し突起することにより、前記支持部材上に支持される前記ソリッドステートハードディスクに弾性的に当接保持される。
【００２４】
いくつかの実施例において、前記押え部材は、前記支持部材に向かって設けられる弾性プランジャーである。
【００２５】
さらに、前記固定構造は、第二固定部材及び位置決めアセンブリをさらに含み、前記第二固定部材及び前記第一固定部材は、それぞれ前記ガイド部材の両端に設けられ、前記位置決めアセンブリは前記第二固定部材上に装着され、かつ前記ソリッドステートハードディスクに弾性的に係止する。
【００２６】
さらに、前記位置決めアセンブリは弾性プランジャー構造である。
【００２７】
いくつかの実施例において、前記位置決めアセンブリは、収容部材、弾性部材及び位置決め部材を含み、前記収容部材は前記第二位置決め部材上に設けられ、前記収容部材上に装着孔が開設されており、前記弾性部材及び前記位置決め部材は前記装着孔内に収容され、前記弾性部材の両端がそれぞれ前記装着孔の底壁及び前記位置決め部材上に当接保持されることにより、前記位置決め部材は部分的に前記装着孔に突出して、前記ソリッドステートハードディスクに突出する。
【００２８】
撮像装置を載置するための支持機構と、前記支持機構上に接続される固定構造と、前記固定構造上に設けられるソリッドステートハードディスクとを含む雲台である。前記固定構造は、前記ソリッドステートハードディスクを載置するためのサポートユニットを含む支持部材を含む。前記サポートユニット上には、前記ソリッドステートハードディスクを予め設定される摺動方向に沿って摺動させるようにガイドすることに用いられるガイド部材と、前記支持部材上に設けられるロックアセンブリとが設けられている。前記ロックアセンブリは、前記支持部材上に可動に設けられ、かつ前記ガイド部材の延びる方向と交差する第一方向に沿って移動することにより、前記ソリッドステートハードディスクと互いに係合又は互いに離隔可能である係止部材と、前記係止部材上に可動に接続され、かつ第二方向に沿って移動可能である押圧部材とを含む。そのうち、前記押圧部材は、外力による駆動により、前記第二方向に沿って移動して、前記係止部材を前記第一方向に沿って移動させるように駆動することにより、前記係止部材を前記ソリッドステートハードディスクと互いに係合又は互いに離隔させる。
【００２９】
さらに、前記第一方向は、前記予め設定される摺動方向に垂直し、前記第二方向は前記予め設定される摺動方向に平行する。
【００３０】
さらに、前記支持部材は基板であり、前記ガイド部材は前記基板上に設けられるガイド板である。
【００３１】
さらに、前記ガイド部材の数は２つであり、かつ対向して間隔をおいて前記基板上に設けられることにより、前記ソリッドステートハードディスクを挟持するための挟持空間が形成され、前記係止部材は前記ガイド板の一端に設けられる。
【００３２】
さらに、前記固定構造は、前記支持部材上に固定される第一固定部材をさらに含み、前記第一固定部材上に前記第一方向に沿って貫通孔が貫通して開設されており、前記係止部材は、前記第一固定部材内に設けられ、かつ一部が前記貫通孔を貫通し、前記係止部材は前記押圧部材による駆動により、前記貫通孔に沿って移動可能である。
【００３３】
さらに、前記係止部材は、係止部と、前記係止部上に接続される合わせ部とを含み、前記係止部は前記貫通孔を貫通し、前記押圧部材は前記合わせ部を可動に貫通するガイド部を含み、前記ガイド部は、前記係止部の移動を動かすように前記合わせ部を駆動することにより、前記係止部を前記ソリッドステートハードディスクと互いに係合又は互いに離隔させる。
【００３４】
さらに、前記ガイド部上には、前記第二方向に対して傾いているガイド面が形成され、前記合わせ部上には溝が形成され、前記ガイド部は、前記溝を貫通し、前記ガイド面を前記溝の側壁と互いに当接させる。
【００３５】
さらに、前記ロックアセンブリは、前記係止部材と前記第一固定部材との間に設けられ、前記係止部材の移動に移動提供回復力を提供する第一リセット部材をさらに含む。
【００３６】
いくつかの実施例において、前記第一固定部材上に収容キャビティが開設されており、かつ前記収容キャビティ上にストッパーが設けられており、前記貫通孔は前記収容キャビティの側壁上に開設され、前記係止部材は前記収容キャビティ内に収容され、前記ロックアセンブリは、前記係止部材と前記ストッパーとの間に設けられ、前記係止部材の移動に回復力を提供する第一リセット部材をさらに含む。
【００３７】
さらに、前記第一リセット部材は圧縮弾性部材である。
【００３８】
さらに、前記溝の側壁には、前記第二方向に対して傾いており、かつ前記ガイド面と相互に当接する合わせ面が設けられており、前記押圧部材が外力による駆動により、前記第二方向に沿って移動する場合、前記ガイド面は、前記合わせ部を前記第一方向に沿って移動させるように前記合わせ面を駆動する。
【００３９】
さらに、前記ガイド部の前記ガイド面から離れた一側に駆動面が形成され、前記駆動面の傾斜方向と、前記ガイド面の傾斜方向とが一致しており、前記溝は、前記合わせ面に対向するスレーブ面をさらに含み、前記スレーブ面は前記第二方向に対して傾いており、かつ前記駆動面と相互に当接し、前記押圧部材は外力による駆動により、前記第二方向に沿って移動する場合、前記駆動面は、前記合わせ部を前記第一方向に沿って移動させるように前記スレーブ面を駆動する。
【００４０】
さらに、前記押圧部材は、それぞれ前記ガイド部の両端に設けられる押圧部及び位置制限部をさらに含み、前記位置制限部は、前記ガイド面が突出することにより形成され、かつ前記第一方向に沿って延び、前記位置制限部は、前記合わせ部と互いに当接保持することにより、前記ガイド部が前記溝から前記第二方向に沿って脱出されることが防止されることに用いられる。
【００４１】
さらに、前記押圧部の前記ガイド部から離れた一側に面取りが形成され、前記面取りは前記係止部材に対する前記押圧部材の装着位置を示すためのものである。
【００４２】
さらに、前記ロックアセンブリは、前記押圧部材の移動に回復力を提供するための第二リセット部材をさらに含む。
【００４３】
さらに、前記第二リセット部材は、前記押圧部と前記合わせ部との間に設けられる圧縮弾性部材である。
【００４４】
さらに、前記固定構造は、前記ロックアセンブリに隣接して前記支持部材上に設けられる押えアセンブリをさらに含み、前記押えアセンブリは、前記支持部材上に固定される装着部材と、前記装着部材上に設けられる押え部材とを含み、前記押え部材は、前記ソリッドステートハードディスクに弾性的に当接保持されることにより、前記ソリッドステートハードディスクの第三方向での変位を制限する。
【００４５】
さらに、前記第三方向は、同時に、前記第一方向及び前記第二方向に垂直する。
【００４６】
さらに、前記押え部材は、弾性材で製造される弾性体であり、前記装着部材上に固定されると共に、前記支持部材と間隔をおいて設けられることにより、前記ソリッドステートハードディスクを前記押え部材と前記支持部材との間に弾性的に挟持させる。
【００４７】
さらに、前記押え部材は弾性シートであり、前記弾性シートは、前記支持部材に向かって屈曲し突起することにより、前記支持部材上に支持される前記ソリッドステートハードディスクに弾性的に当接保持される。
【００４８】
いくつかの実施例において、前記押え部材は、前記支持部材に向かって設けられる弾性プランジャーである。
【００４９】
さらに、前記固定構造は、第二固定部材及び位置決めアセンブリをさらに含み、前記第二固定部材及び前記第一固定部材は、それぞれ前記ガイド部材の両端に設けられ、前記位置決めアセンブリは前記第二固定部材上に装着され、かつ前記ソリッドステートハードディスクに弾性的に係止する。
【００５０】
さらに、前記位置決めアセンブリは弾性プランジャー構造である。
【００５１】
いくつかの実施例において、前記位置決めアセンブリは、収容部材、弾性部材及び位置決め部材を含み、前記収容部材は前記第二位置決め部材上に設けられ、前記収容部材上に装着孔が開設されており、前記弾性部材及び前記位置決め部材は前記装着孔内に収容され、前記弾性部材の両端がそれぞれ前記装着孔の底壁及び前記位置決め部材上に当接保持されることにより、前記位置決め部材は部分的に前記装着孔に突出して、前記ソリッドステートハードディスクに突出する。
【００５２】
さらに、前記ソリッドステートハードディスクの側面には、予め設定される摺動方向に沿って延びる案内溝と、前記案内溝の延びる方向上に位置する係止孔とが設けられており、前記係止部材は、前記係止部材が前記係止孔と係合するまで前記案内溝に沿って摺動可能である。
【発明の効果】
【００５３】
本発明の固定構造によれば、ロックアセンブリの係止部材によりソリッドステートハードディスクと互いに係止して前記ソリッドステートハードディスクを位置決めし、かつ押圧部材の移動により係止部材を動かして、係止部材はソリッドステートハードディスクをロッキングする又はアンロッキングすることにより、ソリッドステートハードディスクを比較的に便利に着脱する目的を達する。
【図面の簡単な説明】
【００５４】
【図１】本発明の実施形態が提供する雲台の使用状態の模式図である。
【図２】図１に示す雲台の固定構造の使用状態の模式図である。
【図３】図２に示す固定構造の斜視分解模式図である。
【図４】図３に示す固定構造の領域IVの拡大模式図である。
【図５】図３に示す固定構造のロックアセンブリの組立て斜視図である。
【図６】図３に示す固定構造の位置決めアセンブリの断面模式図である。
【図７】図３に示す固定構造の押えアセンブリの組立て斜視図である。
【発明を実施するための形態】
【００５５】
以下に、発明を実施するための形態について前記図面を結合して本発明をさらに説明する。
【００５６】
以下、本発明の実施例における技術案について、本発明の実施例における図面を結合して、明瞭で完全に説明する。説明された実施例は明らかに本発明の一部の実施例に過ぎず、全ての実施例ではない。本発明における実施例に基づいて、当業者が創造的な努力をしない前提の下で得られる全ての他の実施例はいずれも本発明の保護する範囲に属する。
【００５７】
なお、アセンブリは、別のアセンブリに「固定される」と言われている場合、別のアセンブリ上に直接的に位置してもよいし、介在するアセンブリが存在してもよい。１つのアセンブリが別のアセンブリに「接続される」と見なされる場合、別のアセンブリに直接的に接続されてもよいし、介在するアセンブリが同時に存在する可能性もある。１つのアセンブリが別のアセンブリに「設けられる」と見なされる場合、別のアセンブリ上に直接的に設けられてもよいし、介在するアセンブリが同時に存在する可能性もある。本文で使用される「垂直」、「水平」、「左」、「右」及び類似の記述は、単に解説の目的のためのものであるに過ぎない。
【００５８】
本文で使用されるすべての技術と科学用語は、特に定義がない限り、本発明の属する技術分野における通常の知識を有する者が通常理解している意味と同一である。本文では、本発明の明細書で使用される技術用語は、具体的な実施例を記述する目的のためのものであるに過ぎず、本発明を制限するものではない。本文で使用される「及び／又は」という技術用語は、１つ又は複数の関係する列挙された項目の任意及びすべての組み合わせを含む。
【００５９】
図１を参照されたい。本発明の実施形態の固定構造１００は、雲台３００上に応用され、ソリッドステートハードディスク２００を固定し、ソリッドステートハードディスク２００を前記雲台３００上に確実に装着させることができる。具体的に、前記雲台３００は撮影機、カメラ等の撮像装置４００を装着するためのものであり、前記雲台３００は、前記撮像装置４００を載置するための支持機構３５０と、前記固定構造１００とを含む。固定構造１００はソリッドステートハードディスク２００を前記雲台３００上に固定し、かつ前記撮像装置４００に接続されることにより、ソリッドステートハードディスク２００は前記雲台３００上の前記撮像装置４００により撮像された映像データを記憶することができる。
【００６０】
図２及び図３を同時に参照されたい。具体的に、図示した実施例において、ソリッドステートハードディスク２００の側壁上において長手方向に沿って案内溝２７０が開設されており、かつ案内溝２７０に隣接して２つの位置決め孔２３０及び１つの係止孔２５０が開設されている。２つの案内溝２７０は相互に間隔をおいて、互いにほぼ平行する。各位置決め孔２３０は１つの案内溝２７０の末端に対応付けて設けられる。係止孔２５０は、そのうちの１つの位置決め孔２３０の対応する案内溝２７０から離隔した一側に設けられ、かつ前記対応する案内溝２７０の延びる方向上に位置する。固定構造１００は案内溝２７０及び位置決め孔２３０により、ソリッドステートハードディスク２００を位置決めした後に、係止孔２５０によりソリッドステートハードディスク２００をロックし、ソリッドステートハードディスク２００を前記雲台３００上に固定し装着させることができる。
【００６１】
固定構造１００は、支持アセンブリ１０と、支持アセンブリ１０上に設けられるロックアセンブリ３０、位置決めアセンブリ５０及び押えアセンブリ７０を含む。位置決めアセンブリ５０は、ソリッドステートハードディスク２００を支持アセンブリ１０上に位置決めするためのものであり、ロックアセンブリ３０及び押えアセンブリ７０は、ソリッドステートハードディスク２００を支持アセンブリ１０上に固定するためのものである。
【００６２】
支持アセンブリ１０は、支持部材１２と、支持部材１２上に設けられる複数のガイド部材１３及び複数の固定部材１４を含む。
【００６３】
支持部材１２はほぼ板状であり、ソリッドステートハードディスク２００を支持し、かつソリッドステートハードディスク２００前記雲台３００上の前記撮像装置４００に接続することにより、前記撮像装置４００により撮像された映像データを記憶することに用いられる。さらに、支持部材１２はソリッドステートハードディスク２００を載置するためのサポートユニット１２１を含む。支持部材１２上にデータインターフェース（図示せず）がさらに設けられており、前記データインターフェースはソリッドステートハードディスク２００を接続することにより、ソリッドステートハードディスク２００を前記雲台３００上に装着される前記撮像装置４００に接続することに用いられる。具体的に、図示した実施例において、支持部材１２は基板である。
【００６４】
ガイド部材１３はほぼ矩形ストリップ状であり、支持部材１２上に固定される。ガイド部材１３は予め設定される摺動方向に沿って設けられ、ソリッドステートハードディスク２００を固定構造１００に挿入する摺動方向を正しくガイドすることに用いられる。ソリッドステートハードディスク２００が固定構造１００に挿入される場合、案内溝２７０の延びる方向は、前記予め設定される摺動方向にほぼ平行となる。本実施形態において、ガイド部材１３の数は２つであり、２つのガイド部材１３は互いに平行であり、かつ間隔をおいて支持部材１２上に設けられる。具体的に、図示した実施例において、ガイド部材１３はガイド板であり、２つのガイド部材１３のうちの１つのガイド部材１３は支持部材１２の一側のほぼ縁に設けられる。
【００６５】
本実施形態において、固定部材１４の数は４つであり、４つの固定部材１４がそれぞれ第一固定部材１４１、第二固定部材１４３、第三固定部材１４５及び第四固定部材１４７である。４つの固定部材１４は互いに間隔をおいて支持部材１２上に設けられ、ロックアセンブリ３０、位置決めアセンブリ５０及び押えアセンブリ７０を装着するためのものである。具体的に、図示した実施例において、第一固定部材１４１及び第二固定部材１４３がそれぞれ１つのガイド部材１３の両端に装着され、かつ支持部材１２の縁に隣接する。第三固定部材１４５及び第四固定部材１４７がそれぞれもう一つのガイド部材１３の両端に装着され、かつそれぞれ第一固定部材１４１及び第二固定部材１４３に対向する。
【００６６】
第一固定部材１４１は支持部材１２のほぼ縁に固設され、ロックアセンブリ３０を装着すると共に、位置決めアセンブリ５０の一部の構造を収容するためのものである。第一固定部材１４１はほぼ矩形ブロック状であり、その上に収容キャビティ１４１１、貫通孔１４１３及び第一収容孔１４１５が開設されている。収容キャビティ１４１１は第一固定部材１４１の第三固定部材１４５から離れた一側に設けられ、ロックアセンブリ３０を収容するためのものである。貫通孔１４１３は収容キャビティ１４１１の側壁上に設けられ、かつ収容キャビティ１４１１の側壁を貫通し、第三固定部材１４５へ延びている。貫通孔１４１３の軸線は第一方向に沿って設けられ、前記第一方向は支持部材１２にほぼ平行となり、かつ前記予め設定される摺動方向に垂直する。第一収容孔１４１５は収容キャビティ１４１１に隣接して設けられ、第一固定部材１４１を貫通し、かつその軸線は貫通孔１４１３の軸線にほぼ平行となる。
【００６７】
さらに、第一固定部材１４１上にストッパー１４２が設けられており、ストッパー１４２は貫通孔１４１３に対向して設けられ、且つ収容キャビティ１４１１上にカバーして設けられ、さらにねじ等の締結具により第一固定部材１４１に固定接続される。ストッパー１４２はロックアセンブリ３０を補助的に固定するためのものである。
【００６８】
第二固定部材１４３は第一固定部材１４１に隣接して支持部材１２のほぼ縁に設けられ、位置決めアセンブリ５０の一部の構造を収容するためのものである。第一固定部材１４１はほぼ矩形柱状であり、その上に第二収容孔１４３１が開設されている。第二収容孔１４３１は第一固定部材１４１を貫通し、かつその軸線は第一収容孔１４１５の軸線にほぼ平行となる。
【００６９】
第三固定部材１４５及び第四固定部材１４７の構造はほぼ同一であり、何れも支持部材１２上に固設されるブロック状構造である。４つの固定部材１４と２つのガイド部材１３との間にソリッドステートハードディスク２００を収容するための収容空間（図示せず）が共同で形成される。
【００７０】
図４及び図５を同時に参照されたい。ロックアセンブリ３０は第一固定部材１４１上に接続され、係止部材３２と、係止部材３２上に摺動可能に接続される押圧部材３４と、それぞれ押圧部材３４及び係止部材３２上に設けられる第一リセット部材３６及び第二リセット部材３８とを含む。
【００７１】
係止部材３２は第一固定部材１４１の収容キャビティ１４１１内に収容され、支持部３２１と、支持部３２１上に形成される係止部３２３及び合わせ部３２５とを含む。
【００７２】
支持部３２１はほぼ矩形ブロック状であり、貫通孔１４１３に隣接して収容キャビティ１４１１内に収容され、かつ貫通孔１４１３の軸線方向にほぼ垂直する。
【００７３】
係止部３２３はほぼ円柱状であり、支持部３２１が貫通孔１４１３の一側に向かって突出することにより形成され、かつ貫通孔１４１３内に可動に収容される。係止部３２３はソリッドステートハードディスク２００の係止孔２５０と係止保持することにより、ソリッドステートハードディスク２００を支持部材１２上に固設させることに用いられる。係止部３２３はソリッドステートハードディスク２００の側面上の案内溝２７０に沿って摺動可能である。
【００７４】
合わせ部３２５は、支持部３２１の一端が折り曲がって形成され、且つ係止部３２３から離れた方向へ延びている。合わせ部３２５の一側に溝３２５１が形成されており、かつ溝３２５１内に合わせ面３２５３が形成される。溝３２５１は合わせ部３２５の２つの側面を貫通し、合わせ部３２５をほぼ「凹」状とさせる。本実施形態において、合わせ面３２５３は溝３２５１の一つの側壁であり、溝３２５１の支持部３２１から離れた一側に位置する。合わせ面３２５３は、傾いている平面であり、貫通孔１４１３の軸線方向に対して傾いて設けられる。溝３２５１は、押圧部材３４の一部の構造を摺動的に収容し、合わせ面３２５３を押圧部材３４と互いに合わせて、係止部材３２全体を第一固定部材１４１に対して移動させるように駆動することにより、係止部３２３をソリッドステートハードディスク２００の係止孔２５０と互いに係止又は互いに離隔させることに用いられる。押圧部材３４は第一固定部材１４１に隣接して設けられ、押圧部３４１、押圧部３４１上に設けられるガイド部３４３及びガイド部３４３上に形成される位置制限部３４５を含む。
【００７５】
押圧部３４１はほぼ矩形ブロック状であり、係止部材３２に隣接して第一固定部材１４１の一側に設けられる。押圧部３４１の係止部材３２から離れた一側に面取り３４１１が形成される。本実施形態において、面取り３４１１はフール・プルーフ面取り、標識性記号として、係止部材３２及び第一固定部材１４１に対する押圧部材３４の装着方向を示すことにより、ユーザは、押圧部材３４及びロックアセンブリ３０を正確かつ高速に組み立てることができることに用いられる。
【００７６】
ガイド部３４３はほぼくさび形ブロック状であり、押圧部３４１が係止部材３２の一側に向かって突出して形成され、かつ溝３２５１を可動に貫通する。ガイド部３４３は、係止部材３２の合わせ面３２５３と摺動して合わせることにより、係止部材３２全体を第一固定部材１４１に対して移動させるように駆動することに用いられる。ガイド部３４３は合わせ面３２５３の一側に向かってガイド面３４３１を形成する。本実施形態において、ガイド面３４３１は傾いている平面であり、その傾斜方向は、合わせ面３２５３の傾斜方向とほぼ同一である。ガイド面３４３１及び合わせ面３２５３は摺動的に当接し合うことが可能であり、押圧部３４１は外力による駆動により、第二方向に沿って収容キャビティ１４１１の内部に向かって移動可能であり、この時、ガイド面３４３１は合わせ面３２５３と相対的に摺動する。前記第二方向は前記予め設定される摺動方向に平行となり、かつ前記第一方向に垂直する。係止部３２３が貫通孔１４１３内に収容され、係止部材３２が貫通孔１４１３の軸線方向のみに沿って移動できるので、ガイド面３４３１による駆動により、合わせ部３２５の合わせ面３２５３は、ガイド面３４３１の傾斜方向に沿ってガイド面３４３１に対して摺動することにより、係止部材３２全体を貫通孔１４１３に対して離れるように動かす。
【００７７】
位置制限部３４５はほぼ矩形ブロック状であり、ガイド面３４３１の押圧部３４１から離れた一端が突出して形成され、かつ支持部３２１から離れた方向に向かって延びる。位置制限部３４５はガイド部３４３と共に係止フック形状を形成し、係止部材３２の合わせ部３２５と互いに係止し合わせるためのものであり、ガイド面３４３１が係止部材３２全体を押圧部材３４に対して移動しリセットさせるように駆動する際に、押圧部材３４と係止部材３２とが互いに離隔することが防止される。
【００７８】
第一リセット部材３６は、支持部３２１とストッパー１４２との間に設けられ、その両端は、それぞれ支持部３２１及びストッパー１４２上に当接保持される。本実施形態において、第一リセット部材３６は、係止部材３２の移動に回復力を提供するための螺旋ばねである。係止部材３２が、押圧部材３４による駆動によりストッパー１４２へ移動する際に、第一リセット部材３６は、圧縮されて弾性変形し、かつ弾性位置エネルギーを記憶する。押圧部材３４は第一固定部材１４１から離れ、元の位置に戻ると共に、第一リセット部材３６は元の状態に復帰し、支持部３２１に弾性当接保持力を印加し、係止部材３２の合わせ面３２５３をガイド面３４３１上に保持し当接させ、かつ係止部材３２をストッパー１４２から離間させ、元の位置に戻り、この時、位置制限部３４５は合わせ部３２５上に当接保持されることにより、ガイド部３４３が溝３２５１から前記第二方向に沿って脱出されることが防止される。
【００７９】
さらに、係止部材３２の支持部３２１の係止部３２３から離れた一側には、さらに、嵌設部３２７が設けられている。嵌設部３２７はほぼ円柱状であり、支持部３２１が上へ突出して形成され、かつ係止部３２３から離れた方向に沿って延びる。第一リセット部材３６は、嵌設部３２７上に可動に嵌設される。
【００８０】
第二リセット部材３８は押圧部３４１と合わせ部３２５との間に設けられ、その両端がそれぞれ押圧部３４１及び合わせ部３２５上に当接保持される。本実施形態において、第二リセット部材３８は押圧部材３４の移動に回復力を提供するための螺旋ばねである。押圧部材３４は外力による駆動により、第一固定部材１４１の内部へ移動し、第二リセット部材３８は圧縮されて弾性変形し、かつ弾性位置エネルギーを記憶する。外力が取り消された後、第二リセット部材３８は元の状態に復帰すると共に、押圧部材３４に弾性当接保持力を印加し、押圧部材３４を第一固定部材１４１から離間させ、元の位置に戻す。
【００８１】
理解できるように、第一リセット部材３６及び第二リセット部材３８は他の弾性部材であってもよく、例えば弾性シート、弾性材で製造される弾性スリーブ等が挙げられる。
【００８２】
本実施形態において、位置決めアセンブリ５０の数は２つであり、２つの位置決めアセンブリ５０がそれぞれ第一収容孔１４１５及び第二収容孔１４３１に収容され、かつそれぞれソリッドステートハードディスク２００の２つの位置決め孔２３０に対応する。位置決めアセンブリ５０は、位置決め孔２３０と互いに合わせてソリッドステートハードディスク２００を支持部材１２上に位置決めすることに用いられる。
【００８３】
図６を同時に参照されたい。本実施形態において、位置決めアセンブリ５０は弾性プランジャーである。具体的に、図示した実施例において、各位置決めアセンブリ５０は、何れも収容部材５２と、収容部材５２内に設けられる位置決め部材５４及び弾性部材５６とを含む。各位置決めアセンブリ５０は、１つの案内溝２７０に対応付けて設けられ、位置決めアセンブリ５０は、対応する案内溝２７０と互いに合わせることにより、ソリッドステートハードディスク２００の前記収容空間に挿入される摺動方向を正しくガイドすることに用いられる。
【００８４】
収容部材５２はほぼ円柱筒状であり、対応する第一収容孔１４１５又は第二収容孔１４３１内に収容される。収容部材５２は前記収容空間の一端に向かって軸線方向に沿って装着孔５２１が開設されている。
【００８５】
位置決め部材５４及び弾性部材５６は装着孔５２１内に収容され、弾性部材５６の一端は装着孔５２１の底壁上に接続され、他端は位置決め部材５４上に接続されることにより、位置決め部材５４を部分的に収容部材５２に突出して張り出させることができ、ソリッドステートハードディスク２００の案内溝２７０に沿って摺動し、かつ前記収容空間に収容されるソリッドステートハードディスク２００の位置決め孔２３０と互いに係止又は互いに離隔する。本実施形態において、位置決め部材５４は球体であり、弾性部材５６は螺旋ばねである。理解できるように、位置決め部材５４は他の形状に設計されてもよく、例えば位置決め部材５４の弾性部材５６から離れた一側は滑らかな弧面又は球面に設計されてもよく、弾性部材５６による弾性当接の推力により、位置決め部材５４は部分的に収容部材５２に突出して張り出され、かつ位置決め孔２３０と互いに係合することができる。ソリッドステートハードディスク２００は、外力による駆動により、位置決めアセンブリ５０に対して移動する傾向がある場合、位置決め部材５４は、位置決め孔２３０の側壁の加圧により、位置決め孔２３０との係合から外れ、ソリッドステートハードディスク２００を位置決めアセンブリ５０に対して移動させることができる。理解できるように、弾性部材５６は他の弾性部材であってもよく、例えば弾性シート、弾性材で製造される弾性スリーブ等が挙げられる。
【００８６】
本実施形態において、押えアセンブリ７０の数は４つであり、各押えアセンブリ７０は、１つの固定部材１４上に対応付けて装着され、かつ対応する固定部材１４の支持部材１２から離れた一側に位置する。押えアセンブリ７０は、ソリッドステートハードディスク２００の第三方向での変位及び跳ね上がりを制限するように、前記収容空間に収容されるソリッドステートハードディスク２００を押えるためのものであり、前記第三方向は支持部材１２にほぼ垂直し、言い換えれば、前記第三方向は前記第一方向及び前記第二方向の何れにも垂直する。
【００８７】
図７を同時に参照されたい。各押えアセンブリ７０は、何れも装着部材７２と、装着部材７２上に設けられる押え部材７４とを含む。
【００８８】
具体的に図示した実施例において、装着部材７２はほぼ「Ｌ」形板状であり、その一端が固定部材１４に固着され、他端が前記収容空間へ延び、かつ前記収容空間上に懸架される。
【００８９】
本実施形態において、押え部材７４は、折り曲げられた弾性シートであり、固定部材１４の前記収容空間に向かう一側に設けられる。押え部材７４は押え部７４１と、押え部７４１上に設けられる接続部７４３とを含む。押え部７４１は、ソリッドステートハードディスク２００の表面に弾性的に当接押圧されることに用いられる。具体的に、図示した実施例において、押え部７４１は、屈曲したシート状であり、その支持部材１２に向かう一側が曲面である。前記曲面は前記収容空間に向かって突出し、同時に、押え部７４１は第一固定部材１４１に沿って第二固定部材１４３の方向へ延設され、ソリッドステートハードディスク２００を２つのガイド部材１３の間から前記収容空間に挿入させる場合、前記曲面の方向に沿って摺動できることにより、ソリッドステートハードディスク２００と押え部７４１との当接保持による衝突や擦れの傷の発生を避ける。
【００９０】
本実施形態において、接続部７４３の数は２つであり、２つの接続部７４３がそれぞれ折り曲がって押え部７４１の対向する両端に形成される。各接続部７４３は、何れも装着部材７２を貫通し、かつ装着部材７２に固定接続される。
【００９１】
本発明の実施形態の固定構造１００を組み立てる場合、まず、係止部材３２の係止部３２３を貫通孔１４１３に貫通させ、係止部材３２を収容キャビティ１４１１内に収容させ、押圧部材３４のガイド部３４３を溝３２５１に貫通し、かつ第二リセット部材３８を合わせ部３２５と押圧部３４１との間に設け、第一リセット部材３６を嵌設部３２７上に嵌設する。その後、ストッパー１４２を第一固定部材１４１上に装着し、第一リセット部材３６の両端をそれぞれ支持部３２１及びストッパー１４２上に当接保持する。最後に、２つの位置決めアセンブリ５０をそれぞれ第一固定部材１４１及び第二固定部材１４３に設け、４つの押えアセンブリ７０をそれぞれ４つの固定部材１４上に設ける。
【００９２】
非使用の正常状態では、第一リセット部材３６及び第二リセット部材３８は何れも自然状態であり、係止部材３２の係止部３２３は、貫通孔１４１３より前記収容空間に向かって突出し、押圧部材３４の押圧部３４１は合わせ部３２５に対して離れる。
【００９３】
本発明実施の形態の固定構造１００を使用する際に、まず、押圧部３４１に推力を印加して第一固定部材１４１へ移動させ、係止部材３２は、ガイド面３４３１の当接推進作用によって貫通孔１４１３に対して離れる。その後、ソリッドステートハードディスク２００を２つのガイド部材１３の間から前記収容空間に挿入し、係止部材３２の係止部３２３は、まず、前記対応する案内溝２７０に突出し、かつ前記案内溝２７０の延びる方向に沿って摺動した後、２つの位置決めアセンブリ５０の位置決め部材５４はソリッドステートハードディスク２００の案内溝２７０に突出する。２つの位置決め部材５４が対応する案内溝２７０から対応する位置決め孔２３０内に入り込むまで、ソリッドステートハードディスク２００を引き続き押し、ソリッドステートハードディスク２００が位置決めを完了する。この時、２つの位置決め部材５４は、弾性部材５６の当接の推力により、ソリッドステートハードディスク２００に当接保持され、ソリッドステートハードディスク２００の他側を第三固定部材１４５及び第四固定部材１４７上に密接に寄らせる。最後に、外力を取り消して押圧部３４１を解放し、係止部材３２及び押圧部材３４がそれぞれ第一リセット部材３６及び第二リセット部材３８の弾性当接の推力により元の位置に戻り、係止部３２３はソリッドステートハードディスク２００の係止孔２５０に突出する。
【００９４】
固定構造１００からソリッドステートハードディスク２００を取り外す必要がある場合、まず、押圧部３４１に推力を印加して第一固定部材１４１へ移動させ、係止部材３２はガイド面３４３１の当接推進作用によって、貫通孔１４１３に対して離れ、係止部３２３はソリッドステートハードディスク２００の係止孔２５０と互いに離隔し、その後、ソリッドステートハードディスク２００を引っ張り、前記収容空間から退出させる。
【００９５】
前記固定構造１００は、ロックアセンブリ３０の係止部材３２によりソリッドステートハードディスク２００の係止孔２５０と互いに係止し、ソリッドステートハードディスク２００の支持部材１２での平行移動を制限すると共に、押えアセンブリ７０がソリッドステートハードディスク２００上に当接押圧することにより、ソリッドステートハードディスク２００の支持部材１２と垂直な方向での跳ね上がりを制限し、固定構造１００のソリッドステートハードディスクに対する固定が確実になる。また、位置決めアセンブリ５０の位置決め部材５４はソリッドステートハードディスク２００の一側に当接保持され、ソリッドステートハードディスク２００の他側を第三固定部材１４５及び第四固定部材１４７上に密接に寄らせ、ソリッドステートハードディスク２００の支持部材での装着位置をさらに固定する。
【００９６】
理解できるように、第二リセット部材３８を省略してもよく、押圧部材３４を押圧する外力が取り消された後、係止部材３２は、第一リセット部材３６の弾性力の当接推進作用によって、元の位置に戻ると共に、合わせ面３２５３はガイド面３４３１に対して摺動し、かつガイド面３４３１を当接して推し、押圧部材３４全体を係止部材３２に対して離間させる。
【００９７】
理解できるように、第一リセット部材３６及び第二リセット部材３８は何れも省略してもよく、押圧部材３４のガイド部３４３に駆動面を設け、前記駆動面はガイド面３４３１から離隔されており、かつ前記駆動面の傾斜方向はガイド面３４３１の傾斜方向と一致する。同時に、合わせ面３２５３に対向するスレーブ面が溝３２５１上に設けられ、かつ前記スレーブ面を前記貫通孔に対して傾斜させ、かつ前記駆動面と互いに当接させる。押圧部材３４は、外力による駆動により第一固定部材１４１へ移動する場合、ガイド面３４３１は合わせ面３２５３を当接して推し、係止部材３２を貫通孔１４１３に対して離隔させることにより、係止部３２３がソリッドステートハードディスク２００の係止孔２５０と互いに離れる。押圧部材３４は、外力による駆動により第一固定部材１４１から離れた場合、前記駆動面は前記スレーブ面を当接して推し、係止部材３２を貫通孔１４１３に対して近接させることにより、係止部３２３がソリッドステートハードディスク２００の係止孔２５０に突出する。同様に、理解できるように、前記スレーブ面は、貫通孔１４１３に対して傾いて設けられることに制限されることはなく、球面、弧面等の他の類型の面に設計されてもよく、前記駆動面は、前記スレーブ面により前記係止部材を貫通孔１４１３に対して接近させるようにプッシュすることができればよい。
【００９８】
理解できるように、ストッパー１４２は第一固定部材１４１と一体に成形して設けられてもよく、この時、ストッパー１４２は収容キャビティ１４１１の１つの側壁であり、第一リセット部材３６の一端は支持部３２１上に当接保持され、他端は、第一固定部材１４１を収容する収容キャビティ１４１１の側壁上に当接保持されることにより、係止部材３２の移動に回復力を提供する。
【００９９】
理解できるように、合わせ面３２５３は、前文に記載されている傾斜面構造に制限されることはなく、他の類型の面に設けられてもよく、合わせ面３２５３を、ガイド面３４３１の駆動によりガイド面３４３１の傾斜方向に沿ってガイド面３４３１に対して摺動させることにより、係止部材３２を、貫通孔１４１３の軸線方向に沿って移動させるように動かせばよい。例えば、合わせ面３２５３は、貫通孔１４１３の軸線方向にほぼ垂直な平面に設計されてもよく、又は、合わせ面３２５３は、ガイド面３４３１の傾斜方向とは逆の傾斜面に設計されてもよく、ひいては合わせ面３２５３は、球面、孤面、規則的幾何面又は他の不規則的な形状の表面に設計されてもよく、合わせ面３２５３をガイド面３４３１と互いに当接させ、かつガイド面３４３１の駆動により、ガイド面３４３１の傾斜方向に沿ってガイド面３４３１に対して摺動させることにより、係止部材３２を貫通孔１４１３の軸線方向に沿って移動させるように動かせばよい。
【０１００】
理解できるように、押えアセンブリ７０は、前文に記載されている弾性当接押圧構造に制限されることはなく、他の弾性当接押圧構造に設けられ、前記収容空間に収容されるソリッドステートハードディスク２００に密接に押さえることにより、ソリッドステートハードディスク２００の支持部材１２と垂直な方向での変位を制限してもよい。
【０１０１】
例えば、押えアセンブリ７０は、位置決めアセンブリ５０と類似する弾性プランジャー構造に設計されてもよく、具体的に言えば、押えアセンブリ７０は、固定部材１４上に固定される装着部材７２と、弾性部材により装着部材７２に接続される当接押圧部材とを含むことができ、前記当接押圧部材は、前記弾性部材の弾性当接保持力により前記収容空間に収容されるソリッドステートハードディスク２００に密接に押さえることができる。又は、押えアセンブリ７０は、一体化された構造に設けられてもよく、軟性プラスチック又はゴム等の弾性材で製造される弾性体であってもよく、ソリッドステートハードディスク２００は前記収容空間内に収容される際に、前記一体化された押えアセンブリは、ソリッドステートハードディスク２００の表面に弾性的に当接保持される。
【０１０２】
また、当業者は、本発明の技術思想に基づいて他の各種の相応の変更及び変形を行うことができるが、全てのこれらの変更及び変形は、何れも本発明の特許請求の保護範囲に属すべきである。
【符号の説明】
【０１０３】
１００ 固定構造 
１０ 支持アセンブリ 
１２ 支持部材 
１２１サポートユニット 
１３ ガイド部材 
１４ 固定部材 
１４１ 第一固定部材 
１４１１ 収容キャビティ 
１４１３ 貫通孔 
１４１５ 第一収容孔 
１４２ ストッパー 
１４３ 第二固定部材 
１４３１ 第二収容孔 
１４５ 第三固定部材 
１４７ 第四固定部材 
３０ ロックアセンブリ 
３２ 係止部材 
３２１支持部 
３２３係止部 
３２５合わせ部 
３２５１溝 
３２５３ 合わせ面 
３２７ 嵌設部 
３４ 押圧部材 
３４１ 押圧部 
３４１１ 面取り 
３４３ ガイド部 
３４３１ ガイド面 
３４５ 位置制限部 
３６ 第一リセット部材 
３８ 第二リセット部材 
５０位置決めアセンブリ 
５２ 収容部材 
５４ 位置決め部材 
５６ 弾性部材 
７０ 押えアセンブリ 
７２ 装着部材 
７４ 押え部材 
７４１ 押え部 
７４３ 接続部 
２００ ソリッドステートハードディスク 
２３０ 位置決め孔 
２５０ 係止孔 
２７０ 案内溝 
３００ 雲台 
３５０支持機構 
４００ 撮像装置
【図１】
0006494789.tif 000002
【図２】
0006494789.tif 000003
【図３】
0006494789.tif 000004
【図４】
0006494789.tif 000005
【図５】
0006494789.tif 000006
【図６】
0006494789.tif 000007
【図７】
0006494789.tif 000008